(57)【特許請求の範囲】
【請求項１】
カーテンウォールを構成する上下の外壁パネル間に生じる横目地隙間に設けられるものであって、下側の外壁パネルの上端外側から前記横目地隙間を通って上側の外壁パネルの下端内側に立ち上がる水切り部材を、前記下側の外壁パネルの上端に取り付けた取付部材に対して係合固定して、その下側の外壁パネルに横方向に沿って取り付け、この水切り部材の立ち上がり部位に、雨水等の飛び越えを防止するための水返し部位を形成したカーテンウォール構造であって、
前記取付部材に、切長孔を形成するとともに、前記下側の外壁パネルを梁に吊り下げ固定するための吊下げボルトに対して、前記取付部材を横から差し込んでその切長孔に前記吊下ボルトを挿通させ、この状態で締付けナットを締め付けることによって、前記取付部材を前記下側の外壁パネルの上端に固定したことを特徴とするカーテンウォールにおける横目地構造。
【請求項２】
前記上側の外壁パネルにおける下フレームから内方向に向かって突出する突片が形成され、この突片上部側における立ち上がり部位下側の空間が、前記横目地隙間から侵入した風や雨水等の勢いを弱めるための減圧空間となっている請求項１記載のカーテンウォールにおける横目地構造。
【請求項３】
前記水返し部位と突片とは内外方向に重なるように上下に配置してある請求項２記載のカーテンウォールにおける横目地構造。
【発明の詳細な説明】
【０００１】
【発明の属する技術分野】
この発明は、カーテンウォールにおける各外壁パネル間に生じる横目地隙間からの雨水等の侵入を防止する横目地構造に関する。
【０００２】
【従来の技術】
従来、カーテンウォールの外壁パネル間に生じる横目地隙間の防水性の保持は、高分子化合物からなるシーリング材を現場での湿式工法により充填施工している。
【０００３】
【発明が解決しようとする課題】
一般に、狭小地の多い都市部では、隣家との距離が短いことから外部足場無しでの施工が求められているが、従来の目地施工では、外壁パネルの外側からシーリング材を充填する際に作業用の足場を組む必要があり、このようなニーズに答えることができなかった。また、充填作業にも時間を要し、それだけ施工時間が大幅に長くなるといった欠点があった。
【０００４】
この発明は、このような従来の湿式のシーリング材に代えて、施工性及び止水性に優れた乾式の横目地構造を提供することを目的としてなされたものである。
【０００５】
【課題を解決するための手段】
上記の課題を解決するため、この発明では、カーテンウォールを構成する上下の外壁パネル間に生じる横目地隙間に設けられるものであって、下側の外壁パネルの上端外側から前記横目地隙間を通って上側の外壁パネルの下端内側に立ち上がる水切り部材を、前記下側の外壁パネルの上端に取り付けた取付部材に対して係合固定して、その下側の外壁パネルに横方向に沿って取り付け、この水切り部材の立ち上がり部位に、雨水等の飛び越えを防止するための水返し部位を形成したカーテンウォール構造であって、前記取付部材に、切長孔を形成するとともに、前記下側の外壁パネルを梁に吊り下げ固定するための吊下げボルトに対して、前記取付部材を横から差し込んでその切長孔に前記吊下ボルトを挿通させ、この状態で締付けナットを締め付けることによって、前記取付部材を前記下側の外壁パネルの上端に固定したことを特徴とする。
【０００６】
これにより、下側の外壁パネルに水切り部材を取り付けて、上側の外壁パネルを建て込むだけで、外壁パネルの外側からの作業を一切必要とせずに目地施工を行うことができる。
【０００７】
また、前記上側の外壁パネルにおける下フレームから内方向に向かって突出する突片が形成され、この突片上部側における立ち上がり部位下側の空間が、前記横目地隙間から侵入した風や雨水等の勢いを弱めるための減圧空間となっている。
【０００８】
さらに、前記水返し部位と突片とは内外方向に重なるように上下に配置してある。
【０００９】
【発明の実施の形態】
本発明の一実施形態を図面に基づいて詳細に説明する。図１は、上下の外壁パネル間の横目地隙間における横目地構造を示している。図において、(１)は、カーテンウォールの外壁構成要素である外壁パネルであって、板状の基材(２)と方形枠状のフレーム材(３)とから構成されている。フレーム材(３)における上フレーム(４)及び左右フレーム(５)(５)は、Ｃ形鋼からなる。また、下フレーム(６)は、基材(２)の下端内面に沿って配された垂直片(７)と、この垂直片(７)の上端から建物内方向に延びた水平片(８)と、この水平片(８)の内側端部から立ち上がった取付片(９)とから倒略Ｚ字状に形成されている。
【００１０】
(10)は、梁(11)のフランジ上面にボルト(12)によって固定されたジョイナーであり、このジョイナー(10)の垂直プレート(13)に、上側の外壁パネル(１)の下フレーム(６)が取付ボルト(14)によって固定されている。また、ジョイナー(10)の水平プレート(15)に、下側の外壁パネル(１)の上フレーム(４)が吊下げボルト(16)によって固定されている。なお、(17)は取付ボルト(14)に螺合した締付けナット、(18)は吊下げボルト(16)に螺合した抜け防止用ナット、(20)は同じく吊下げボルト(16)に螺合した締付けナットである。
【００１１】
このように配置される上下の外壁パネル(１)(１)間の横目地隙間(21)には、取付部材(30)を介して水切り部材(31)が設けられている。取付部材(30)は、上側の外壁パネル(１)を建て込む前に下側の外壁パネル(１)に取り付けられるもので、下側の外壁パネル(１)を横並びに建て込むことによって所定の間隔を開けて配置される。また、水切り部材(31)は、これら取付部材(30)に跨るようにして横並びに配置される。以下、取付部材(30)及び水切り部材(31)の構造について詳細に説明する。
【００１２】
まず、取付部材(30)は、アルミニウム板製で、下側の外壁パネル(１)における上フレーム(４)に固定された取付片(32)と、この取付片(32)の外側端部から立ち上げられた垂直片(33)と、この垂直片(33)の上端に接合された支持片(34)とが一体的に形成されてなる。
【００１３】
取付片(32)には、図２に示すように、その中央から側部に開放した吊下げボルト(16)挿通用の切長孔(35)が形成されている。従って、締付けナット(20)を緩めた状態にして、取付片(32)を横から差し込んで切長孔(35)に吊下ボルト(16)を挿通させ、この状態で締付けナット(20)を締め付けることによって、取付片(32)が上フレーム(４)に固定されている。
【００１４】
また、取付片(32)には、２個のビス孔(36)(36)が形成されており、図３に示すように、吊下げボルト(16)のないところではビス(37)(37)をビス孔(36)(36)に挿入して締め付けることで、上フレーム(４)に固定されるようになっている。さらに、取付片(32)の内側先端は下方に折曲されて回止め片(39)とされており、この回止め片(39)が上フレーム(４)の内側面に当接することによって、取付片(32)のがたつきや回転を防止している。
【００１５】
支持片(34)は、下側の外壁パネル(１)の外側から横目地隙間(21)を通って、上側の外壁パネル(１)における下フレーム(６)の垂直片(７)内側に立ち上がっている。そして、支持片(34)の下端は、外方向に折曲されて第１係止爪(40)とされ、上端は、内方向に折曲されて第２係止爪(41)とされている。また、支持片(34)の上面には、発泡剤等からなる一対の防水材(42)(42)が貼り付けられている。
【００１６】
他方、水切り部材(31)は、アルミニウム板製で、下側の外壁パネル(１)の外側に配された化粧片(50)と、この化粧片(50)の上端から横目地隙間(21)を貫通する傾斜片(51)と、この傾斜片(51)の内側端部から立ち上がった立上り片(52)とが一体的に形成されてなる。
【００１７】
化粧片(50)は、その中央に横溝を有する段差状に形成され、その下端が内方向に折曲されて第１係合溝(54)が形成されている。また、立上り片(52)の上端は、内方向にＬ字形に折曲されて第２係合溝(55)が形成されている。これにより、図４に示すように、水切り部材(31)の第１係合溝(54)を取付部材(30)の第１係止爪(40)に引っ掛けた状態で、水切り部材(31)を図の矢印方向に回転させ、水切り部材(31)の第２係合溝(55)を取付部材(30)の第２係止爪(41)に係合させることで、水切り部材(31)を取付部材(30)における支持片(34)の防水材(42)に押し付けるようにして、ビス等を使用することなくワンタッチで係合固定することができる。
【００１８】
また、互いに隣接する水切り部材(31)(31)の隣り合う端部が、１つの取付部材(30)にともに係合固定されており、これによって水切り部材(31)の取付けに必要な取付部材(30)の個数を少なくして、コストダウンを図ることができる。しかも、この場合には、隣接する水切り部材(31)(31)間の隙間を取付部材(30)によって塞ぐとともに、水切り部材(31)(31)の端部と取付部材(30)との間には、防水材(42)(42)が介装されているので、この連結部分からの雨水の侵入を防止することができる。なお、水切り部材(31)の端部だけでなく、例えば中央部を取付部材(30)に取り付けるようにしても良い。この場合、水切り部材(31)の取付強度を向上させることができる。
【００１９】
立上り片(52)は、その外面ほぼ中央に外方向に向かって水返し片(56)が突設されており、これによって横目地隙間(21)から侵入した雨水が立上り片(52)を飛び越えるのを防止している。さらに、 立上り片(52)と上側の外壁パネル(１)における下フレーム(６)の垂直片(７)との間の横目地隙間(21)に連通する空間内に、垂直片(７)の下端を内方向に向かって折曲した突片(58)と、水返し片(56)とが図のように内外方向に重なるようにして上下に配置されることによって、横目地隙間(21)から侵入した風や雨水等の勢いを弱めて建物内部への侵入を防止するための減圧空間(57)が形成されている。
【００２０】
図５は、外壁パネル(１)の建て込み状態を示しており、下側の外壁パネル(１)は、基礎(61)に水切り部材(70)を取り付けた後に建て込み、上側の外壁パネル(１)は、下側の外壁パネル(１)に水切り部材(31)を取り付けた後に建て込むようにしている。これによって、外壁パネル(１)の外側からの作業を一切必要とせずに目地施工を行うことができる。
【００２１】
【発明の効果】
以上のように、本発明によれば、水切り部材を下側の外壁パネルに取り付けて、上側の外壁パネルを建て込むだけで、外壁パネルの外側からの作業を一切必要とせずに目地施工を行うことができるので、従来の目地施工のように作業用の足場を組む必要がなく、狭小地での足場無しでの施工といった要求に答えることができるとともに、施工時間も大幅に短縮することができる。
【００２２】
また、水切り部材の立ち上がり部位に、水返し部位を形成するだけの極めて簡単な構造により、横目地隙間から侵入した雨水が立上り部位を飛び越えて建物内部に侵入するのを防止することができ、例えば横目地隙間に水密材を充填するような面倒な作業を必要とせずに、高い止水性を確保することができる。
【００２３】
さらに、立ち上がり部位と上側の外壁パネルの下端との間に減圧空間を構成しているので、これによって横目地隙間から減圧空間に入り込んだ風や雨水の勢いを弱めて、建物内部への侵入を確実に防止することができる。
【００２４】
また、水切り部材を、取付部材にビス等を使用することなく係合固定することによって、施工性の向上を図ることができる。さらに、取付部材を、下側の外壁パネル吊下用の吊下げボルト及び締付けナットを利用して固定することによって、取付部材を固定するための部材を別途必要とせず、部品点数の削減を図ることができる。
【図面の簡単な説明】
【図１】本発明の一実施形態に係る上下の外壁パネル間の横目地隙間における横目地構造の縦断面図である。
【図２】吊りボルトを利用して固定した取付部材の斜視図である。
【図３】ビスによって固定した取付部材の斜視図である。
【図４】水切り部材の取付動作を説明するための斜視図である。
【図５】外壁パネルの建て込み状態を示す斜視図である。
【符号の説明】
(１)    外壁パネル
(６)    下フレーム
(11)    梁
(16)    吊下げボルト
(21)    横目地隙間
(30)    取付部材
(31)    水切り部材
(42)    防水材
(52)    立上り片
(56)    水返し片
(57)    減圧空間
(58)    突片
【図１】
0003716290.tif 000002
【図２】
0003716290.tif 000003
【図３】
0003716290.tif 000004
【図４】
0003716290.tif 000005
【図５】
0003716290.tif 000006